(57)【特許請求の範囲】
【請求項１】
眉線を修正するときに眉に宛がう眉線修正補助具であって、少なくとも１つの眉形部を備え、該眉形部は眉の上縁に該当する基準上縁部と眉の下縁に該当する基準下縁部とを有しており、使用時に眉と対向する眉形部の内面の長さ方向に複数の凹所を有していることを特徴とする眉線修正補助具。
【請求項２】
各凹所が隔壁で仕切られている請求項１記載の眉線修正補助具。
【請求項３】
隔壁は、眉描き補助具の基準上縁部と基準下縁部とで構成される面を越えて突出している請求項２記載の眉描き補助具。
【請求項４】
隔壁の隔壁端縁の両端にそれぞれ突起が設けられ、且つ隔壁端縁の前記両突起の間の部分に少なくとも１つの突起がさらに設けられている請求項２又は請求項３記載の眉線修正補助具。
【請求項５】
複数の隔壁を有し、各隔壁が平行である請求項２乃至請求項４のいずれか一項記載の眉線修正補助具。
【請求項６】
眉形部の延びる方向に垂直な断面で切った凹所の内面が三角形をなす請求項１乃至請求項５のいずれか一項記載の眉線修正補助具。
【請求項７】
眉線を修正するときに眉に宛がう眉線修正補助具であって、少なくとも１つの眉形部を備え、該眉形部は眉の上縁に該当する基準上縁部と眉の下縁に該当する基準下縁部とを有しており、使用時に眉と対向する眉形部の内面の少なくとも一部に凹所を有し、眉形部の延びる方向に垂直な断面で切った凹所の内面が三角形をなしていることを特徴とする眉線修正補助具。
【発明の詳細な説明】
【技術分野】
【０００１】
本発明は眉の線をかみそりや鋏などを用いて整えるときに使用する眉線修正補助具に関する。
【背景技術】
【０００２】
眉毛は、顔に這うように生えているが顔に密着して生えるのではなく、顔から所定の間隔をあけて生えている。これにより、いくつもの眉毛が重なって眉が形成される。眉毛が顔に密着していないので眉は一定の厚みを有し、この厚みの中に眉毛がいくつも重なって眉の形及び濃さを構成するのである。
【０００３】
従来、眉を理想的な形に修正する補助具として、眉形をなし、顔の湾曲に沿うように湾曲した眉形部を有する眉線修正補助具が存在している。この眉線修正補助具の眉形部は一枚の板状に形成されている。そして、この眉形部を眉に宛がい、眉形部からはみ出た眉毛を鋏で切ったり、かみそりで剃ったりなどして眉線を整えるのである。眉形部が板状であるから、使用時に眉と対向する眉形部の内面を眉に宛がったときに、顔と眉形部の内面との間に遊びがなく、眉形部の内面は全面的に同じように眉毛を圧迫する。そのようにして圧迫された眉毛は顔に密着した状態で眉形部からはみ出す。そこで、このはみ出た眉毛を例えば鋏で切ることにより眉線を整えることができる。しかしながら、顔と眉形部の内面との間に遊びがなく、眉毛が眉形部の内面全体で圧迫されて顔に密着するので、必要以上の長さの眉毛がはみ出して切り取られることもある。このような場合、眉毛が短くなるので、眉毛の重なりが十分でなく眉が薄くなってしまうのである。また、従来品は、眉形部の内面に小さな突起が設けられているが、これらの突起は顔に容易に食い込むので、顔と眉形部の内面との間に十分な遊びをつくることはできない。
【先行技術文献】
【特許文献】
【０００４】
【特許文献１】特許第４２７０８９７号公報
【発明の概要】
【発明が解決しようとする課題】
【０００５】
眉線修正補助具の眉形部を眉に宛がってその眉形部からはみ出た眉毛を切るときに、必要以上に短く眉毛を切ってしまうことのない眉線修正補助具を提供することが課題である。
【課題を解決するための手段】
【０００６】
請求項１は、少なくとも１つの眉形部を備え、その眉形部が眉の上縁に該当する基準上縁部と眉の下縁に該当する基準下縁部とを有しており、使用時に眉と対向する眉形部の内面の長さ方向に複数の凹所を有している構成である。
【０００７】
請求項２は、複数設けられた凹所が隔壁で仕切られている構成である。
【０００８】
請求項３は、隔壁は、眉描き補助具の基準上縁部と基準下縁部とで構成される面よりも突出している構成である。
【０００９】
請求項４は、隔壁の隔壁端縁の両端にそれぞれ突起が設けられ、且つ隔壁端縁の前記両突起の間の部分に少なくとも１つの突起がさらに設けられている構成である。
【００１０】
請求項５は、複数の隔壁を有し、各隔壁が平行である構成である。
【００１１】
請求項６は、眉形部の延びる方向に垂直な断面で切った凹所の内面が三角形をなしている構成である。
【００１２】
請求項７は、眉形部が眉の上縁に該当する基準上縁部と眉の下縁に該当する基準下縁部とを有しており、使用時に眉と対向する眉形部の内面の少なくとも一部に凹所を有し、眉形部の延びる方向に垂直な断面で切った凹所の内面が三角形をなしている構成である。
【発明の効果】
【００１３】
請求項１は、眉形部が眉の上縁に該当する基準上縁部と眉の下縁に該当する基準下縁部とを有しており、使用時に眉と対向する眉形部の内面の長さ方向に複数の凹所を有している。したがって、使用時に眉と対向する眉形部の内面を眉に宛がったときに、凹所によって顔と眉形部の内面との間に遊びとしての空所が生じるので、眉形部の内面全体で眉毛を圧迫することがない。これにより、その空所内の眉は一定の厚みを維持することができ、眉毛を顔に密着させた場合に比べて、眉毛が眉形部からはみ出す長さが短くなるので必要以上に眉毛を短く切ってしまうことがない。また、凹所ごとに眉毛が眉形部からはみ出す長さを短くできるで、各凹所内の眉毛を必要以上に短く切ることがないのである。
【００１４】
請求項２は、各凹所が隔壁で仕切られている。例えば、眉形部のほぼ全長に亘って単一の凹所が設けられているときは、凹所の幅や深さ、あるいは使用者の眉の太さによっては、ほとんどの眉毛が凹所に納まってしまって、本来切られるべき眉毛が眉形部からはみ出さずに残ってしまうことが考えられる。そこで、隔壁によっていくらかの眉毛を圧迫することにより、長すぎる眉毛を眉形部からはみ出させて切ることができるのである。
【００１５】
請求項３は、隔壁が、眉描き補助具の基準上縁部と基準下縁部とで構成される面を越えて内向き方向に突出している。隔壁が眉形部の内面から突出しているので、眉形部を顔に宛がうときに、まず隔壁が眉毛に当たることになる。そこで、隔壁が眉毛に当たっている状態で眉形部を上下に動かして眉毛をとかすことにより、仕上がりのきれいな眉とすることができる。
【００１６】
請求項４は、隔壁の隔壁端縁の両端にそれぞれ内向きの突起が設けられ、且つ隔壁端縁の前記両突起の間の部分に少なくとも１つの内向きの突起がさらに設けられている。隔壁端縁の両端に設けられた突起により、眉形部を眉に宛がうときに突起が眉毛を引っ掛けて眉形部から出す作用をなすので、眉線をきれいに整えることができる。また、それらの両突起の間にさらに設けられた突起によって、眉の上縁と下縁の間に生えている眉毛も引っ掛けて眉形部から出すことができるので、眉全体の中から長すぎる眉毛をはみ出させて切ることができ、各眉毛の長さのバランスが良いきれいな眉とすることができる。さらに、隔壁による眉毛の圧迫を適度に抑えたり、眉にアイブローパウダーなどの眉用化粧料を使用した場合には眉毛に付着した化粧料が眉線修正補助具に付着することを抑えることができる。
【００１７】
請求項５は、凹所を仕切るための複数の隔壁を有し、各隔壁が平行である。隔壁の効果については、前記請求項３の効果において述べた通りであるが、複数の隔壁とすることによって、眉の複数の位置で眉毛を圧迫することにより、眉全体において長すぎる眉毛を眉形部からはみ出させて切ることができる。また、各隔壁を平行にすることによって、隔壁に仕切られた小さな凹所の開口の眉形部長さ方向の幅が狭くならないのである。すなわち、眉形部は、原則的に眉山部から眉尻部にかけて湾曲しているので、仮に隔壁をこの湾曲した眉形部に対して垂直にすると、各隔壁は平行とならずに小さな凹所の開口に向かって各隔壁が徐々に近づくことにより、小さな凹所の開口の幅が小さくなってしまい開口が十分な役割を果たせないのである。
【００１８】
請求項６は、眉形部の延びる方向に垂直な断面で切った凹所の内面が三角形をなす。したがって、可撓性を有し細長く延びる眉形部の腰を強くすることができるので、眉形部を眉に当てたときに確実に固定することができる。また、眉はその上下幅の中央付近が最も濃く、顔からの高さも高いので、内面が三角形でその中央を最も深い凹所にすることによって、眉形部の上縁と下縁の間の中央付近では眉毛を押したとしてもわずかであるから、その中央の眉毛を自然な感じで残すことができる。
【００１９】
請求項７は、眉形部が眉の上縁に該当する基準上縁部と眉の下縁に該当する基準下縁部とを有しており、使用時に眉と対向する眉形部の内面の少なくとも一部に凹所を有し、眉形部の延びる方向に垂直な断面で切った凹所の内面が三角形をなしている。したがって、前述した請求項６記載の発明と同様の効果を奏する。
【図面の簡単な説明】
【００２０】
【図１】本発明の斜視図である。
【図２】本発明の内面図である。
【図３】本発明の外面図である。
【図４】本発明の上面図である。
【図５】本発明の側面図である。
【図６】Ａ−Ａ端面図である。
【図７】Ｂ−Ｂ拡大端面図である。
【図８】Ｃ−Ｃ拡大端面図である。
【発明を実施するための形態】
【００２１】
次に、本発明の実施例について説明する。眉線修正補助具１は、有色透明の可撓性を有するプラスチックで一体に形成され、ハンドル２の上端に一対の眉形部３，３が左右対称に翼状に延びるように設けられている。プラスチックはＡＢＳ樹脂が用いられているがこれに限定されるものではない。眉線修正補助具１は透けて見えるものが好ましく、有色透明以外に、無色透明でも、半透明でもよいが、不透明であっても差し支えない。眉形部３は、眉頭部７、眉山部８及び眉尻部９から成る眉の形状に形成されており、理想的な眉の形状と大きさに形成されている。また、使用時に眉と対向する眉形部３の内面が顔の湾曲にフィットするように、その内面が凹の湾曲面となるように眉形部３は湾曲している。
【００２２】
図７に示すように、眉形部３の延びる方向に垂直な断面で切った眉形部３の断面は三角形をなしており、眉形部３の内面側に同じように断面が三角形の凹所４が形成されている。凹所４は、多数の隔壁５によって多数の小凹所６に分割されている。多数の小凹所６で構成される凹所４の全体形状は眉形をなし、眉形部３の長さ方向に、そのほぼ全長に亘って形成されている。凹所４は、眉頭部７から眉山部８にかけて深く形成され、眉尻部９は浅く形成されている。これは、眉毛が眉頭部７から眉山部８にかけて多く生え、眉尻部９は少なく生えていることに対応したものである。図６に示すように、各隔壁５は平行であり、且つ、図２において左右方向に延びる横線に対して、隔壁５は垂直である。各隔壁５を平行にすることによって、各小凹所６の開口の眉形部長さ方向の幅が狭くならない。すなわち、眉形部３は、眉山部８から眉尻部９にかけて湾曲しているので、仮に隔壁５をこの湾曲した眉形部３に対して垂直にすると、各隔壁５は平行とならずに小凹所６の開口に向かって各隔壁５が徐々に近づくことにより、小凹所６の開口の幅が小さくなってしまい開口が十分な役割を果たせないのである。
【００２３】
眉形部３は、眉の上縁に該当する基準上縁部１０と眉の下縁に該当する基準下縁部１１とを有している。そして、隔壁５は、基準上縁部１０と基準下縁部１１とで構成される面を越えて内向き方向に突出した突出部２７を有し、その突出部２７における眉形部３の長さ方向に垂直な上下幅は凹所４内における隔壁５の上下幅よりも大きく形成され、突出部２７は眉形部３の外縁まで届いている。また、基準上縁部１０と基準下縁部１１の間に亘って延びる隔壁端縁１４の両端にそれぞれ内向きの突起１２，１３が設けられている。さらに、隔壁端縁１４の中央に内向きの突起１５が設けられている。
【００２４】
図４に示すように、一対の眉形部３，３はその内面が凹の湾曲面となるように湾曲している。眉形部３，３の両端部間の直線距離は、眉形部３，３の端部が当たる顔の部分の幅よりもやや短く形成されている。これは、眉形部３，３をしならせながら顔に宛がって、眉形部３，３の内面を顔に確実に接触させるためである。
【００２５】
図５に示すように、ハンドル２は外側に張り出すようにＳ字形に形成されている。把持部１６はハンドル２の下部に形成されており、上下にそれぞれ反対向きの凹面１７，１８を有する。ハンドル２を持つときは、親指の腹を凹面１７に宛がい、その凹面１７と反対側の面である凸面１９に人差し指を宛がい、さらに凹面１８に中指を宛がうことにより眉描き補助具をしっかり持つことができる。この把持部１６は、顔の表面から離れているので持つ手が鼻に当たることがなく、眉を整える際に手が邪魔になることもない。また、ハンドル２は十分に長いので、使用時にハンドル２を持つ手が眼よりも下方に位置するから、視界を広くすることができる。ハンドル２の表面に上向き矢印２０と下向き矢印２１が表示されており、これらの矢印によって、眉描き補助具１を上下に移動させ隔壁５の突出部２７で眉毛を揃えたり、眉形部３，３の位置を調節したりすることが示されている。また、ハンドル２の上方で眉形部３，３の間に、眉間当接部２２が設けられており、その上縁２６は水平である。この眉間当接部２２は、顔の眉間部分に当接させることにより作業の安定感を持たせるためであると共に、ハンドル２の上部の補強も兼ねている。また、眉間当接部２２の中央に外側に凸の湾曲部２３が設けられている。この湾曲部２３は、眉形部３，３を押し付けて顔にぴったりフィットさせて行くときに、眉形部３，３のそれぞれの端部から徐々に圧迫された皮膚が眉形部３，３の間に寄る場合があっても、寄ることによりやや盛り上がった皮膚の逃げ場となるのである。さらに、ハンドル２の上方に垂直基準線２４と水平基準線２５が設けられており、これらの基準線により眉線修正補助具１を顔に適正に宛がうことができる。
【００２６】
次に、本発明の使用方法について説明する。まず、眉形部３，３を眉に当てるのであるが、眉形部３，３を真正面から眉に当てるのではなく、眉形部３，３を上方又は下方に動かしながら、突起１２，１３，１５で眉毛を分けながら隔壁５の突出部２７を櫛歯のように使って眉毛を揃えながら当てる。理想的な眉の形は、眉頭部７の高さと眉尻部９の高さを同じにすることである。そこで、眉形部３，３を眉に宛がったときに、眉間当接部２２の上縁２６を回動軸線としてハンドル２を上下に回動させながら眉尻部９の端部２８の高さを調節し、眉頭部７の高さを示す水平基準線２５と眉尻部９の端部２８の高さが水平となるようにする。ハンドル２を上下に回動させながら眉尻部９の端部２８の高さを調節できる理由は以下の通りである。すなわち、眉尻部９は顔に向かって湾曲し眉頭部７よりも内側に延びている。したがって、眉間当接部２２の上縁２６を回動軸線としてハンドル２を回動させると、眉尻部９の端部２８は水平基準線２５が存在する平面に対してかなり内側にあって回動軸線から偏倚しているので、ハンドル２と同じ方向に回動し、それにより端部２８の高さが変化する。ハンドル２を上方に回動させると、端部２８は下方に移動することになる。これに対して、眉頭部７は水平基準線２５が存在する平面とほぼ同じ平面に存在し、回動軸線からわずかしか離れていないから、ハンドル２を回動させても上下方向にわずかに移動するだけである。したがって、ハンドル２を回動させることにより、上下に大きく動く眉尻部９の端部２８は、わずかにしか動かない眉頭部７に対して相対的に上下に動くので、水平基準線２５と眉尻部９の端部２８が水平になるように眉線修正補助具１の位置を定める。これにより、位置を定めたら、はみ出た眉毛を鋏で切ったり、かみそりで剃ったりして眉を整える。隔壁端縁１４に内向きの突起１２，１３が設けられているので、眉形部３の基準上縁部１０及び基準下縁部１１と眉との間に隙間が生じるから、眉毛が顔に密着していない。したがって、眉毛は顔からやや浮いた状態ではみ出ているので、眉毛を顔に密着させて必要以上に切ってしまうことを防止する。
【００２７】
次に、本実施例のサイズについて説明する。最大横幅である眉形部３，３の端部間の直線距離は約１１５ｍｍであり、最大縦幅は約８５ｍｍである。隣り合う隔壁５の内面間の距離は約３ｍｍである。サイズは以上の通りであるが、本発明がこれらの数値に限定されないことは勿論である。
【００２８】
なお、本発明は前述した構成に基づいて種々の態様をとることが可能である。例えば、隔壁５を凹所４の全長に亘って設けず、眉頭部７側の２つの隔壁５を取り除いて、その部分をやや大きな小凹所としてもよい。このように形成したときは、眉頭の部分の眉毛が濃くなるので男性用の眉線修正補助具とすることが好ましい。また、凹所４の全部に隔壁５がなくてもよい。凹所４は、眉形部３の全長に亘って設けるものに限定されるものではなく、例えば眉頭部７付近のみに設けるものであってもよい。凹所４の断面形状は、三角形以外の四角形や半円形などであってもよい。眉線修正補助具１は半透明でも不透明でもよく、したがって金属であってもよく、ハンドル２と眉形部３，３が一体でなくてもよい。また、眉形部３は単一であってもよい。そのとき、ハンドル２を有していても有していなくてもよい。眉形部３が単一であるときは、左右用の２つのテンプレート部をセットとして販売することが好ましい。また、一つのハンドルもセットに加えて複数の異なる種類の眉形部をハンドルに交換可能に取り付けることができるものであってもよい。
【産業上の利用可能性】
【００２９】
本発明は、使用時に眉と対向する眉形部の内面の少なくとも一部に凹所を設けることにより、眉線修正補助具の眉形部を眉に宛がってその眉形部からはみ出た眉毛を切るときに、必要以上に短く眉毛を切ってしまうことのない眉線修正補助具を提供することができる。
【符号の説明】
【００３０】
１  眉線修正補助具、    ２  ハンドル、    ３  眉形部、    ４  凹所、    ５  隔壁、    ６  小凹所、    ７  眉頭部、    ８  眉山部、    ９  眉尻部、    １０  基準上縁部、    １１  基準下縁部、    １２  突起、    １３  突起、    １４  隔壁端縁、    １５  突起、  １６  把持部、    １７  凹面、    １８  凹面、    １９  凸面、    ２０  上向き矢印、    ２１  下向き矢印、    ２２  眉間当接部、    ２３  湾曲部、    ２４  垂直基準線、    ２５  水平基準線、    ２６  上縁、    ２７  突出部、    ２８  端部
【図１】
0005916211.tif 000002
【図２】
0005916211.tif 000003
【図３】
0005916211.tif 000004
【図４】
0005916211.tif 000005
【図５】
0005916211.tif 000006
【図６】
0005916211.tif 000007
【図７】
0005916211.tif 000008
【図８】
0005916211.tif 000009